(57)【要約】【課題】  １種類の部品で構成でき、製造コストの低減を図ることができる組立式サイコロを提供する。【解決手段】  組立式サイコロ１０は、正方形状の６個の面部材２０を正六面体状に連結してなり、面部材２０の表面２１に設けられ、個別の情報を表示する表示部２２と、面部材２０の裏面２３に設けられ、一方の対辺の中点を結ぶ線に沿って延びる嵌合溝２４と、他方の対辺の中点を結ぶ線に沿って設けられ、嵌合溝２４と十字状に交差する凸状の嵌合片２５と、を有する。面部材２０の嵌合溝２４に、隣り合う面部材２０の嵌合片２５を着脱可能に嵌合させて、隣り合う面部材２０同士を直角に連結した。【選択図】  図２
2013094572.tif 000002
【特許請求の範囲】
【請求項１】
正方形状の６個の面部材を正六面体状に連結してなる組立式サイコロにおいて、
前記面部材の表面に設けられ、個別の情報を表示する表示部と、
前記面部材の裏面に設けられ、一方の対辺の中点を結ぶ線に沿って延びる嵌合溝と、
前記面部材の裏面に設けられ、他方の対辺の中点を結ぶ線に沿って延びる凸状の嵌合片と、を有し、
前記面部材の前記嵌合溝に、隣り合う他の面部材の前記嵌合片を着脱可能に嵌合させて、隣り合う面部材同士を直角に連結したことを特徴とする組立式サイコロ。
【請求項２】
前記隣り合う面部材の辺部同士を互いに離間させて、前記６個の面部材のそれぞれの周囲に隙間を設けたことを特徴とする請求項１に記載の組立式サイコロ。
【請求項３】
前記嵌合溝と前記嵌合片との交差部に、前記隙間同士を互いに連通させる切り欠きを設けたことを特徴とする請求項２に記載の組立式サイコロ。
【発明の詳細な説明】
【技術分野】
【０００１】
本発明は、組立式サイコロに関し、より詳細には、正方形状の面部材を正六面体状に連結してなる組立式サイコロに関するものである。
【背景技術】
【０００２】
正方形状の面部材を正六面体状に連結するようにした組立式のサイコロが知られている。従来、この種のサイコロとして、各種の技術が提案されている（たとえば、特許文献１参照）。
【０００３】
特許文献１に記載の表示玩具では、正六面体に形成された基枠の各面に、正方形の装着体を着脱可能に嵌め、装着体の表面に収容部を設け、収容部に情報表示カードを挿脱可能に収容する。この表示玩具によれば、装着体の色や配置を変えたり、情報表示カードを交換したりすることで、表示内容の異なる様々なサイコロを作ることができる。
【０００４】
ところで、安くて面白い玩具が求められる中、組立式サイコロを低コストで製造できる技術が求められている。
【先行技術文献】
【特許文献】
【０００５】
【特許文献１】特開２００６−１７４９６８号公報（図２）
【発明の概要】
【発明が解決しようとする課題】
【０００６】
上述した特許文献１の表示玩具は、装着体および基枠からなる２種類の部品で構成される。構成部品が１種類で済めば、成形金型や成形工程が削減でき、製造コストの低減を図ることができる。しかしながら、特許文献１の表示玩具において、装着体および基枠は、各々、サイコロを組み立てるうえで必須の要素であり、いずれも無くすことはできない。
【０００７】
そこで、本発明は、このような事情に鑑みてなされたものであり、その目的は、１種類の部品で構成でき、製造コストの低減を図ることができる組立式サイコロを提供することにある。
【課題を解決するための手段】
【０００８】
本発明は、正方形状の６個の面部材を正六面体状に連結してなる組立式サイコロにおいて、前記面部材の表面に設けられ、個別の情報を表示する表示部と、前記面部材の裏面に設けられ、一方の対辺の中点を結ぶ線に沿って延びる嵌合溝と、前記面部材の裏面に設けられ、他方の対辺の中点を結ぶ線に沿って延びる凸状の嵌合片と、を有し、前記面部材の前記嵌合溝に、隣り合う他の面部材の前記嵌合片を着脱可能に嵌合させて、隣り合う面部材同士を直角に連結したことを特徴とする。
【０００９】
上記発明は、前記隣り合う面部材の辺部同士を互いに離間させて、前記６個の面部材のそれぞれの周囲に隙間を設けたことを特徴とする。
上記発明は、前記嵌合溝と前記嵌合片との交差部に、前記隙間同士を互いに連通させる切り欠きを設けたことを特徴とする。
【発明の効果】
【００１０】
本発明によれば、面部材の裏面に設けた嵌合溝および嵌合片によって、６個の面部材同士を連結できるので、従来の基枠が不要になる。よって、面部材のみで構成でき、製造コストの低減が図れる組立式サイコロを提供することができる。
【図面の簡単な説明】
【００１１】
【図１】第１実施形態の組立式サイコロの斜視図である。
【図２】組立式サイコロの分解斜視図である。
【図３】組立式サイコロの構成を説明する図であり、（ａ）は裏面側から見た図、（ｂ）は（ａ）のＢ矢視図である。
【図４】面部材の連結構造を説明する図である。
【図５】第２実施形態にかかる面部材の斜視図である。
【図６】第３実施形態にかかる面部材の斜視図である。
【図７】第４実施形態にかかる面部材の斜視図である。
【発明を実施するための形態】
【００１２】
（第１実施形態）
以下、添付図面を参照して、本発明を実施するための第１実施形態について詳細に説明する。なお、実施形態の説明の全体を通して同じ要素には同じ番号を付している。
【００１３】
図１に示すように、第１実施形態の組立式サイコロ１０は、正方形状の６個の面部材２０を正六面体状に連結してなる。組立式サイコロ１０では、出た面の情報の内容によって、勝敗や優劣などを競う。面部材２０の表面２１には、個別の情報を表示する表示部（たとえば、シール）２２が設けられる。ここで、個別の情報は、対戦時の勝敗や優劣を判定するための面部材２０の固有情報であって、たとえば、数字や文字の情報、あるいは、キャラクタや人、動物等を模した模様や写真などの情報である。
【００１４】
図２に示すように、６個の面部材２０は、全て同一の形態であり、たとえば、成形金型を用いて合成樹脂材料で成形される。裏面２３には、嵌合溝２４および凸状の嵌合片２５が十字状に形成される。
【００１５】
図３（ａ）および（ｂ）に示すように、裏面２３の４つの辺部には、外周全体に亘り、所定の大きさの面取り２７が設けられる。嵌合溝２４は、裏面２３における一方の対辺の中点を結ぶ線Ｃ１線上に形成される。ここでは、中点を結ぶ線Ｃ１を挟むように１対の壁２６を設け、これら１対の壁２６の間を嵌合溝２４として構成する。
【００１６】
嵌合片２５は、他方の対辺の中点を結ぶ線Ｃ２上に形成され、嵌合溝２４と直交する。ここでは、嵌合片２５は、１対の壁２６のそれぞれの側面から他方の対辺に向けて形成される１対の壁で構成される。
【００１７】
また、嵌合溝２４の幅Ｗ１は、嵌合片２５の幅Ｗ２と同程度またはそれよりも僅かに小さく設定される。これにより、嵌合片２５が嵌合溝２４に離脱可能に保持される。さらに、嵌合溝２４の深さＤは、嵌合片２５の有効長さＬと同程度に設定される。
【００１８】
なお、面部材２０の構成において、裏面２３の外周全体に亘り、所定の大きさの面取り２７を設けたが、面取り２７の代わりに丸みを設けても差し支えない。
【００１９】
続いて、組立式サイコロ１０の連結構造を図４に基づいて説明する。
図４では、連結された３個の面部材２０を示しており、面部材２０の嵌合溝２４には、他の面部材２０の嵌合片２５が着脱可能に差し込まれる。これにより、面部材２０同士が直角に連結される。また、裏面２３の面取り２７によって、面部材２０の辺部同士が、接触せずに離間する。結果、面部材２０の周囲には、隙間２９が形成される。このようにして、残りの３個の面部材２０を連結すると、各面部材２０の周囲に隙間２９が形成された組立式サイコロ１０（図１参照）が得られる。
【００２０】
以上、説明した第１実施形態の組立式サイコロ１０によれば、基枠を用いずに、正六面体状の組立式サイコロ１０を組み立てることができる。したがって、構成部品の種類が１つ（面部材２０）で済むため、製造コストおよび材料コストの低減が図れる。たとえば、組立式サイコロ１０を合成樹脂で成形する場合、成形金型の種類および成形工程がそれぞれ１つで済むため、従来に比べ、大幅なコスト削減が図れる。
【００２１】
ここで、連結構造の配置による効果について述べる。実施形態では、嵌合溝２４や嵌合片２５を裏面２３に形成した。これに対して、面部材の辺部に連結構造を配置することも可能である。しかし、辺部に連結構造を配置すると、サイコロの見栄えが悪くなる。加えて、サイコロ内部が空洞になるため、外力に対して、組立式サイコロが変形し易くなる。この点、実施形態では、裏面２３に連結構造を配置したので、連結構造が組立式サイコロ１０の中に収まり、見栄えが良くなるうえ、剛性を高めることもできる。
【００２２】
また、実施形態では、各面部材２０の周囲に設けた隙間２９によって、誤飲時に気道を確保するための空気流通路を各面部材２０の辺部に沿って形成することができる。
【００２３】
さらに、６個の面部材２０の各々は、交換可能であるため、いわゆるカプセル玩具として単体での販売が可能である。よって、使用者は、色々な種類の面部材２０を集め、集めた面部材２０を任意に組み合わせて、様々な組立式サイコロ１０を作って楽しむことができる。
【００２４】
（第２実施形態）
次に、第２実施形態の組立式サイコロを図５に基づいて説明する。なお、前述した第１実施形態にかかる組立式サイコロ１０と共通する部位には、同じ符号を付して、重複する説明を省略することとする（第３実施形態以降についても同様）。
【００２５】
前述した第１実施形態においては、１対の嵌合片２５を断続的に形成したが、図５に示すように、嵌合片２５Ａを裏面２３に連続的に形成してもよい。この第２実施形態によれば、前述した第１実施形態と同様の作用効果を得ることができることに加え、１対の壁２６の中央部が連結されるので、剛性を一層高めることができる。
【００２６】
（第３実施形態）
次に、第３実施形態の組立式サイコロを図６に基づいて説明する。
図６に示すように、第３実施形態の組立式サイコロでは、壁２６Ｂと嵌合片２５Ｂの交差部に、任意の形状の切り欠き（ここでは、球面状にえぐられた切り欠き）３１，３２を形成する。これらの切り欠き３１，３２によって、各面部材２０Ｂの周囲の隙間２９（図１参照）同士を連通させる空気流通路（たとえば、図６中、矢印（１），（２）で示す流通路）が形成される。したがって、第３実施形態によれば、前述した第１実施形態と同様の作用効果に加え、誤飲時の気道確保用の空気流通路をより適確に設けることができる。
【００２７】
（第４実施形態）
次に、第４実施形態の組立式サイコロを図７に基づいて説明する。
図７に示すように、第４実施形態では、交差部において、壁２６Ｃおよび嵌合片２５Ｃを裏面２３まで完全に切り欠いた形態の切り欠き３３，３４を形成する。すなわち、交差部には、壁２６Ｃおよび嵌合片２５Ｃを形成せず、壁２６Ｃおよび嵌合片２５Ｃのそれぞれの離間部を切り欠き３３，３４として構成した。これら切り欠き３３，３４によって、各面部材２０Ｃの周囲の隙間２９（図１参照）同士を連通させる空気流通路（たとえば、図７中、矢印（３），（４）で示す流通路）が形成される。したがって、第４実施形態によれば、前述した第１実施形態と同様の作用効果に加え、誤飲時の気道確保用の空気流通路をより適確に設けることができる。
【００２８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。例えば、６つの面部材によって組立式サイコロが組み立てられた状態から各面部材を容易に取り外すために、各面部材の正方形状の４辺の中点付近に、取り外し用の切り欠き（ツメ）を形成してもよい。また、６つの面部材によって組立式サイコロが組み立てられた状態から他の同様の組立式サイコロと連結することができるように、各面部材の正方形状の辺に、連結用の突起（例えば、鍵状の突起）などを設けてもよい。また、面部材の表面には何も表示（記載）せずに、表示部（例えば、シール）を、別途、面部材の表面に取り付けられるようにしてもよい。
【符号の説明】
【００２９】
Ｃ１  一方の対辺の中点を結ぶ線
Ｃ２  他方の対辺の中点を結ぶ線
１０  組立式サイコロ
２０，２０Ａ，２０Ｂ，２０Ｃ  面部材
２１  表面
２２  表示部
２３  裏面
２４  嵌合溝
２５，２５Ａ，２５Ｂ，２５Ｃ  嵌合片
２９  隙間
３１，３２，３３，３４  切り欠き
【図１】
2013094572.tif 000003
【図２】
2013094572.tif 000004
【図３】
2013094572.tif 000005
【図４】
2013094572.tif 000006
【図５】
2013094572.tif 000007
【図６】
2013094572.tif 000008
【図７】
2013094572.tif 000009